(57)【要約】  本発明の無線基地局装置は、少なくとも隣り合うセクタの組合せに対しては、セクタ毎に異なるスクランブルコードを生成するスクランブルコード生成部と、この生成されたスクランブルコードを使用して、下りリンクサブフレーム中のスクランブル化対象部分をスクランブル化するスクランブル部とを備える。これによって、セクタ間干渉の影響を受けた信号から所望信号を抽出するときの抽出精度の向上に寄与する。
2008053932.tif 000002
【特許請求の範囲】
【請求項１】
一セル内を複数のセクタに分割し、各セクタにそれぞれの下りリンクサブフレームを送信する無線基地局装置において、
少なくとも隣り合うセクタの組合せに対して、セクタ毎に異なるスクランブルコードを生成するスクランブルコード生成部と、
前記スクランブルコード生成部で生成されたスクランブルコードを使用して、前記下りリンクサブフレーム中のスクランブル化対象部分をスクランブル化するスクランブル部と、
を備える無線基地局装置。
【請求項２】
前記スクランブルコード生成部が生成した前記スクランブルコードを示す情報を無線端末装置に送信するスクランブルコード広報部を有する請求項１に記載の無線基地局装置。
【請求項３】
前記スクランブル部は、前記下りリンクサブフレームに含まれる制御チャネル情報およびユーザデータのいずれか一方または両方を前記スクランブル化対象部分として切り替えるスイッチを有する請求項１に記載の無線基地局装置。
【請求項４】
一セル内を複数のセクタに分割して各セクタにそれぞれの下りリンクサブフレームを送信する無線基地局装置との間で無線接続し、下りリンクサブフレームを受信する無線端末装置において、
自端末局の在圏しているセクタ用のスクランブルコードを得るスクランブルコード取得部と、
前記スクランブルコード取得部で得られたスクランブルコードを使用して、前記受信された下りリンクサブフレーム中のスクランブル化対象部分をデスクランブル化するデスクランブル部と、
を備える無線端末装置。
【請求項５】
前記スクランブルコード取得部は、前記無線基地局装置から送信されるスクランブルコードを示す情報を受信するスクランブルコード受信部である請求項４に記載の無線端末装置。
【請求項６】
前記デスクランブル部は、予め定められた複数パターンのスクランブルコードを保持し、前記無線基地局から送信された下りリンクサブフレーム中のスクランブル化対象部分を前記複数パターンのスクランブルコードを順次使用してデスクランブルし、前記自端末局の在圏しているセクタ用のスクランブルコードを得る請求項４に記載の無線端末装置。
【請求項７】
前記スクランブル化対象部は、前記下りリンクサブフレームに含まれる制御チャネル情報およびユーザデータのいずれか一方または両方である請求項４に記載の無線端末装置。
【発明の詳細な説明】
【技術分野】
【０００１】
本発明は、無線基地局装置および無線端末装置に関する。
本願は、２００６年１０月３１日に、日本に出願された特願２００６−２９６９０９号に基づき優先権を主張し、その内容をここに援用する。
【背景技術】
【０００２】
近年、第３世代（3G）移動体通信システムの標準規格の検討が標準化プロジェクト「3GPP：3rd Generation Partnership Project」で行われている。その検討課題の一つに、下りリンク（基地局から端末局へ向かう方向のリンク）におけるフレーム伝送方式があげられる。
例えば非特許文献１では、図８に例示されるような一セルを複数のセクタに分割する移動体通信システムにおける、下りリンクのレイヤ１／レイヤ２制御チャネル（L1/L2 Control Channel）の構造が提案されている。図８において、基地局１００は自己のセル１１０を指向性アンテナにより３個のセクタ＃１，＃２，＃３に分割している。
図９には、下りリンクのサブフレーム２００の構造が示されている。図９において、下りリンクサブフレーム２００の構造は、時間軸（Time）と周波数軸（Freq.）を用いて表されている。下りリンクサブフレーム２００は、リファレンス信号を格納するエリア２０１と、L1/L2制御チャネル信号を格納するエリア２０２と、ユーザデータを格納するエリア２０３とから構成される。リファレンス信号は、基地局固有のスクランブルコード（Node B common scrambling code）でスクランブル化されてからエリア２０１に格納される。下りリンクサブフレーム２００は、セクタ毎に作成される。基地局１００は、各セクタにそれぞれの下りリンクサブフレーム２００を送信する。【０００３】
図１０には、非特許文献１記載のL1/L2制御チャネルの構造が示されている。図１０に示されるように、複数の端末局の各々に宛てたL1/L2制御情報は、符号分割多重（CDM：Code Division Multiplexing）される。その符号分割多重後のL1/L2制御チャネル信号がエリア２０２に格納される。図１０の例は、４個の端末局ＵＥ＿１，２，３，４に対してそれぞれのL1/L2制御情報を送信する場合であり、各端末局ＵＥ＿１，２，３，４宛てのL1/L2制御情報が符号分割多重される。
【非特許文献１】3GPP,R1-062171,KDDI,NTT DoCoMo,“L1/L2 Control Channel Structure with CDM Based Multiplexing in E-UTRA Downlink”, August 28-September 1,2006
【発明の開示】
【発明が解決しようとする課題】
【０００４】
しかし、上述した従来の下りリンクにおけるフレーム伝送方式では、セクタ間干渉の影響を受けると、端末局で受信した信号から自端末局宛ての信号を抽出するときの精度が低下する恐れがある。例えば、エリア２０２に格納されたL1/L2制御チャネル信号には、複数の端末局の各々に宛てたL1/L2制御情報が符号分割多重されているが、セクタ間干渉の影響が大きい場合には、端末局で受信したエリア２０２中のL1/L2制御チャネル信号から、自端末局宛てのL1/L2制御情報を抽出するときの誤差が大きくなる恐れがある。また、同じユーザデータを繰り返し送信するレピティション（repetition）実行時には、端末局で受信したエリア２０３中のユーザデータから、自端末局宛てのユーザデータを抽出するときの精度が低下する恐れがある。【０００５】
本発明は、このような事情を考慮してなされたもので、その目的は、セクタ間干渉の影響を受けた信号から所望信号を抽出するときの抽出精度の向上に寄与することのできる無線基地局装置および無線端末装置を提供することにある。
【課題を解決するための手段】
【０００６】
上記の課題を解決するために、本発明に係る無線基地局装置は、一セル内を複数のセクタに分割し、各セクタにそれぞれの下りリンクサブフレームを送信する無線基地局装置において、少なくとも隣り合うセクタの組合せに対しては、セクタ毎に異なるスクランブルコードを生成するスクランブルコード生成部と、前記スクランブルコード生成部で生成されたスクランブルコードを使用して、前記下りリンクサブフレーム中のスクランブル化対象部分をスクランブル化するスクランブル部と、を備えたことを特徴とする。【０００７】
本発明に係る無線端末装置は、一セル内を複数のセクタに分割して各セクタにそれぞれの下りリンクサブフレームを送信する無線基地局装置との間で無線接続し、下りリンクサブフレームを受信する無線端末装置において、自端末局の在圏しているセクタ用のスクランブルコードを得るスクランブルコード取得部と、前記スクランブルコード取得部で得られたスクランブルコードを使用して、前記受信された下りリンクサブフレーム中のスクランブル化対象部分をデスクランブル化するデスクランブル部と、を備えたことを特徴とする。
【発明の効果】
【０００８】
本発明によれば、セクタ間干渉の影響を受けた信号から所望信号を抽出するときの抽出精度の向上に寄与することができる。
【図面の簡単な説明】
【０００９】
【図１】本発明の一実施形態に係る移動体通信システムを示す概略構成図である。
【図２】図１に示された移動体通信システムに係る基地局（無線基地局装置）の送信系の構成を示すブロック図である。
【図３】図２に示されたフレーム生成部の構成を示すブロック図である。
【図４】図２に示されたスクランブル部の構成を示すブロック図である。
【図５】図２に示されたスクランブルコード生成部の第１の例を示すブロック図である。
【図６】図２に示されたスクランブルコード生成部の第２の例を示すブロック図である。
【図７】図１に示された移動体通信システムに係る端末局（無線端末装置）の受信系の構成を示すブロック図である。
【図８】従来の移動体通信システムを示す概略構成図である。
【図９】下りリンクのサブフレーム２００の構造を示す図である。
【図１０】従来のL1/L2制御チャネルの構造を示す図である。
【符号の説明】
【００１０】
１  基地局（無線基地局装置）
１１  フレーム生成部
１２  スクランブル部
１３  無線部
１４  指向性アンテナ
１５  スクランブルコード生成部
１６  スクランブルコード広報部
６０  端末局（無線端末装置）
６１  アンテナ
６２  無線部
６３  デスクランブル部
６４  信号抽出部
６５  スクランブルコード受信部
２００  下りリンクサブフレーム
【発明を実施するための最良の形態】
【００１１】
以下、図面を参照し、本発明の一実施形態について説明する。
図１は、本発明の一実施形態に係る移動体通信システムの概略構成図である。なお、図１には一セル内を３つのセクタに分割する場合の例が示されているが、本発明は、セクタ数には限定されず、任意のセクタ数に適用可能である。
図１において、基地局１は自己のセル１１０を指向性アンテナにより３個のセクタ＃１，＃２，＃３に分割している。セクタ＃１，＃２，＃３は、互いに重複する部分を有する。このため、いずれのセクタ間においてもセクタ間干渉が発生し得る。【００１２】
基地局１は、図９の下りリンクサブフレーム２００を用いて、端末局宛てのL1/L2制御チャネル情報およびユーザデータを送信する。下りリンクサブフレーム２００は、セクタ毎に作成される。基地局１は、各セクタにそれぞれの下りリンクサブフレーム２００を送信する。【００１３】
本実施形態では、各セクタ用のスクランブルコードを設ける。その各セクタ用のスクランブルコードとしては、少なくとも隣り合うセクタの組合せでは、互いに異なるようにする。さらには、互いに無相関のスクランブルコードであることが好ましい。例えば、互いに直交関係にあるスクランブルコードであればなおよい。【００１４】
図１の例では、セクタ＃１用のスクランブルコード＃１と、セクタ＃２用のスクランブルコード＃２と、セクタ＃３用のスクランブルコード＃３とを設ける。図１の例では、セクタ数が３であり、全セクタが互いに隣り合うので、スクランブルコード＃１，＃２，＃３は、全て異なるようにする。より好ましくは、スクランブルコード＃１，＃２，＃３は、互いに直交するようにする。【００１５】
各セクタ用のスクランブルコードは、それぞれのセクタ用の下りリンクサブフレーム２００において、L1/L2制御チャネル信号を格納するエリア２０２に適用され、L1/L2制御チャネル信号のスクランブル化に使用される。又は、ユーザデータを格納するエリア２０３に適用され、ユーザデータのスクランブル化に使用される。又は、エリア２０２とエリア２０３の両方に適用され、L1/L2制御チャネル信号およびユーザデータのスクランブル化に使用される。【００１６】
本実施形態によれば、各セクタ用のスクランブルコードを設け、その各セクタ用のスクランブルコードとしては、少なくとも隣り合うセクタの組合せでは互いに異なるようにする。これにより、セクタ間干渉の影響を受けた信号であっても、異なるスクランブルコードでスクランブル化された信号間の区別は簡単にできるので、端末局で受信した信号から自端末局宛ての信号を抽出することが容易になる。これにより、所望信号の抽出精度の向上に寄与することができる。また、互いに直交関係にあるスクランブルコード等、互いに無相関のスクランブルコードを少なくとも隣り合うセクタの組合せに対して用いれば、より確実に自端末局宛ての信号を抽出することができる。【００１７】
なお、図１の例ではセクタ数が３であるが、本実施形態はセクタ数には限定されず、任意のセクタ数に対して同様に適用することができる。また、セクタ数が２又は３の場合には全セクタが互いに隣り合うが、セクタ数が４以上の場合には、隣り合うことのないセクタの組合せが存在する。その隣り合うことのないセクタの組合せに対しては、同じスクランブルコードを用いるようにしてもよい。また、セクタ用のスクランブルコードは、隣り合うことのないセル間で同じものを繰り返し使用するようにしてもよい。【００１８】
図２は、本実施形態に係る基地局（無線基地局装置）１の送信系の構成を示すブロック図である。図２において、基地局１は、フレーム生成部１１とスクランブル部１２と無線部１３と指向性アンテナ１４とスクランブルコード生成部１５とスクランブルコード広報部１６とを有する。フレーム生成部１１、スクランブル部１２、無線部１３および指向性アンテナ１４の組は、セクタの各々に対応して設けられる。図２の例は、図１に示されるようなセクタ数が３の場合であり、フレーム生成部１１、スクランブル部１２、無線部１３および指向性アンテナ１４の組を３つ備えている。【００１９】
フレーム生成部１１は、下りリンクサブフレーム２００を生成する。スクランブル部１２は、下りリンクサブフレーム２００中のスクランブル化対象エリアに対して、スクランブルコード生成部１５から供給されるスクランブルコードを用いたスクランブル化を行う。【００２０】
無線部１３は、直交周波数分割多重（Orthogonal Frequency Division Multiplexing：ＯＦＤＭ）方式の送信信号を生成し、指向性アンテナ１４から送出させる。無線部１３において、シリアル／パラレル変換部２１は、スクランブル部１２の出力信号をパラレルデータに変換する。このパラレル変換では、図９中の時間軸の単位時間分のシリアルデータ（周波数軸の全周波数分のデータを含むもの）を１単位にしてパラレルデータに変換する。【００２１】
マッピング部２２は、そのパラレルデータ中の各ビットをいずれかのサブキャリアにマッピングする。逆高速フーリエ変換部（ＩＦＦＴ）２３は、そのマッピング後のパラレルデータに対して逆高速フーリエ変換処理を施し、周波数領域から時間領域の信号に変換する。パラレル／シリアル変換部２４は、逆高速フーリエ変換部２３出力後のパラレルデータをシリアルデータに変換する。このシリアルデータは、ガードインターバル挿入部２５でガードインターバルが挿入されてから、指向性アンテナ１４より送信される。なお、送信信号にはパイロット信号も挿入される。【００２２】
指向性アンテナ１４は、一方向に指向性を有するアンテナであり、一方向にビームを形成することができる。これにより、図１に示すような一セクタを構成することができる。
図１の例では、３つの指向性アンテナ１４をそれぞれの指向性方向が１２０°ずつずれるように配置することで実現できる。【００２３】
スクランブルコード生成部１５は、少なくとも隣り合うセクタの組合せに対しては、セクタ毎に異なるスクランブルコードを生成する。図２の例では、セクタ数が３であるので、３つのセクタ用にスクランブルコードａ＿１，ａ＿２，ａ＿３を生成する。スクランブルコードａ＿１，ａ＿２，ａ＿３は全て異なるように生成される。各スクランブルコードａ＿１，ａ＿２，ａ＿３は、それぞれのセクタ用のスクランブル部１２に供給される。【００２４】
スクランブルコード広報部１６は、各セクタに対して、それぞれのセクタ用のスクランブルコードを広報する。スクランブルコード広報部１６は、スクランブルコードの広報のための情報をスクランブルコード生成部１５から受け取る。スクランブルコードの広報は、スクランブルコードを直接的に送信するものであってもよく、或いは、スクランブルコードを生成するための情報のみを送信するものであってもよい。これにより、端末局は、自局が在圏するセクタ用のスクランブルコードを得ることができる。【００２５】
図３は、図２に示すフレーム生成部１１の構成を示すブロック図である。図３において、フレーム生成部１１には、各端末局ＵＥ＿１〜ｎ宛てのL1/L2制御情報およびユーザデータと、リファレンス信号が入力される。リファレンス信号は、基地局固有のスクランブルコード（Node B common scrambling code）でスクランブル化されている。【００２６】
各端末局ＵＥ＿１〜ｎ宛てのL1/L2制御情報は、それぞれの乗算器３１により各端末局ＵＥ＿１〜ｎ用の拡散符号ｂ＿１〜ｎと乗算されてから、加算器３２で加算される。これにより、各端末局ＵＥ＿１〜ｎ宛てのL1/L2制御情報は符号分割多重される。【００２７】
多重部３３は、リファレンス信号と、符号分割多重後のL1/L2制御チャネル信号と、各端末局ＵＥ＿１〜ｎ宛てのユーザデータとを多重し、一つのシリアルデータ３４として下りリンクサブフレーム２００を生成する。リファレンス信号はエリア２０１に格納される。符号分割多重後のL1/L2制御チャネル信号はエリア２０２に格納される。各端末局ＵＥ＿１〜ｎ宛てのユーザデータはエリア２０３に格納される。【００２８】
多重部３３から出力されたシリアルデータ３４は、スクランブル部１２に入力される。【００２９】
図４は、図２に示すスクランブル部１２の構成を示すブロック図である。図４において、スクランブル部１２には、多重部３３で生成されたシリアルデータ３４と、スクランブルコード生成部１５で生成されたスクランブルコードａ＿ｍが入力される。【００３０】
スイッチ４１は、シリアルデータ３４を入力し、その出力先の切替を行う。スイッチ４１は、シリアルデータ３４中のスクランブル化対象部分を乗算器４２に入力させるように、シリアルデータ３４の出力先を切り替える。非スクランブル化対象部分は、そのままスクランブル部１２から出力されるようにする。【００３１】
乗算器４２は、シリアルデータ３４中のスクランブル化対象部分にスクランブルコードａ＿ｍを乗算する。これにより、シリアルデータ３４中のスクランブル化対象部分は、スクランブルコードａ＿ｍによりスクランブル化される。【００３２】
スクランブル部１２からは、シリアルデータ３４中のスクランブル化対象部分がスクランブルコードａ＿ｍによりスクランブル化されたシリアルデータが出力される。【００３３】
次に、本実施形態に係るスクランブルコード生成部１５の実施例を説明する。【００３４】
図５は、図２に示すスクランブルコード生成部１５の第１の例である。図５において、スクランブルコード生成部１５は、多段接続されたシフト部５１から構成される。シフト部５１は、入力されるビット列を一定量だけビットシフトして出力する。【００３５】
スクランブルコード生成部１５には、基地局固有のスクランブルコードが入力される。この基地局固有のスクランブルコードはリファレンス信号のスクランブル化に使用されるものである。その基地局固有のスクランブルコードをセクタ毎に異なる所定量だけビットシフトさせたものを、各セクタ用のスクランブルコードに用いる。【００３６】
図５の例では、３つのセクタ用にスクランブルコードａ＿１，ａ＿２，ａ＿３を生成する。スクランブルコードａ＿１は、基地局固有のスクランブルコードが最初のシフト部５１で一定量のビットシフトされたものである。スクランブルコードａ＿２は、スクランブルコードａ＿１が２段目のシフト部５１で一定量のビットシフトされたものである。スクランブルコードａ＿３は、スクランブルコードａ＿２が３段目のシフト部５１で一定量のビットシフトされたものである。これにより、各スクランブルコードａ＿１，ａ＿２，ａ＿３は、基地局固有のスクランブルコードがそれぞれ異なる所定量の位相シフトされたものとなる。【００３７】
図６は、図２に示すスクランブルコード生成部１５の第２の例である。第２の実施例では、メモリ５５に基地局固有のスクランブルコードを記憶させておく。そして、図６に示すように、メモリ５５からの読み出し開始位置をセクタ毎に異なるようにすることで、各セクタ用のスクランブルコードａ＿１，ａ＿２，ａ＿３を異なるものとして生成している。【００３８】
図６において、メモリ５５には、ｑビットの基地局固有のスクランブルコードがアドレス１〜ｑに記憶されている。スクランブルコードａ＿１は、アドレス１から離れたアドレスを読み出し開始位置にして、メモリ５５から読み出し方向に順次読み出したデータである。スクランブルコードａ＿２は、スクランブルコードａ＿１の読み出し開始位置からさらに離れたアドレスを読み出し開始位置にして、メモリ５５から読み出し方向に順次読み出したデータである。スクランブルコードａ＿３は、スクランブルコードａ＿２の読み出し開始位置からさらに離れたアドレスを読み出し開始位置にして、メモリ５５から読み出し方向に順次読み出したデータである。【００３９】
メモリ５５からの読み出しは、読み出し開始位置から開始し、アドレスｑまで読み出したらアドレス１に戻り、以降、アドレス１からアドレスｑまでを巡回して行う。【００４０】
これにより、各スクランブルコードａ＿１，ａ＿２，ａ＿３は、基地局固有のスクランブルコードがそれぞれ異なる所定量の位相シフトされたものとなる。【００４１】
上述した第１、第２の実施例は、ともに基地局固有のスクランブルコードを位相シフトすることで、各セクタ用のスクランブルコードを生成している。これ以外の実施例としては、例えば、基地局固有のスクランブルコードを利用するのではなく、各セクタ用のスクランブルコードをそれぞれ独立に生成し、予めメモリに記憶しておくようにしてもよい。【００４２】
次に、本実施形態に係る端末局について説明する。【００４３】
図７は、本実施形態に係る端末局（無線端末装置）６０の受信系の構成を示すブロック図である。図７に示す端末局６０は、図２の基地局１に対応している。端末局６０は、基地局１との間で無線接続し、下りリンクサブフレームを受信する。【００４４】
図７において、端末局６０は、アンテナ６１と無線部６２とデスクランブル部６３と信号抽出部６４とスクランブルコード受信部６５とを有する。
端末局６０は、アンテナ６１により、基地局１から送信された信号を受信する。その受信信号は、無線部６２で受信処理される。無線部６２において、受信信号は、ガードインターバル除去部７１でガードインターバルが除去されてから、シリアル／パラレル変換部７２でパラレルデータに変換される。高速フーリエ変換部（ＦＦＴ）７３は、そのパラレルデータに対して高速フーリエ変換処理を施し、時間領域から周波数領域の信号に変換する。これにより、サブキャリアの信号に変換される。【００４５】
デマッピング部７４は、各サブキャリアにマッピングされているビットをデマッピングする。パラレル／シリアル変換部７５は、デマッピング後のパラレルデータをシリアルデータに変換する。等化部７６は、パラレル／シリアル変換部７５出力後の信号から伝送路上で変化した位相量を推定し、その推定結果から信号の位相を補正すると共に対応する伝送路の振幅値を求め、位相補正された信号の等化処理を伝送路の振幅値を用いて行う。信号等化処理では、例えばＭＭＳＥ（Minimum Mean Squared Error）手法が利用できる。【００４６】
デスクランブル部６３は、スクランブルコード受信部６５から供給されるスクランブルコードａ＿ｍを使用して、信号等化処理後の信号中の下りリンクサブフレーム内のスクランブル化対象部分をデスクランブル化する。信号抽出部６４は、デスクランブル化後の下りリンクサブフレームから、自端末局宛てのL1/L2制御情報およびユーザデータを抽出する。スクランブルコード受信部６５は、自端末局６０の在圏しているセクタ用のスクランブルコードａ＿ｍを基地局１から受信する。【００４７】
なお、スクランブルコード受信部６５は、スクランブルコードａ＿ｍを生成するための情報のみを基地局１から受信し、該受信情報からスクランブルコードａ＿ｍを生成するものであってもよい。つまり、スクランブルコード受信部６５は、自端末局６０の在圏しているセクタ用のスクランブルコードの情報を基地局１から受信し、当該スクランブルコードを得るスクランブルコード取得部として機能するものであればよい。【００４８】
本実施形態によれば、端末局６０は、在圏しているセクタ用のスクランブルコードを用いて、受信した下りリンクサブフレームのデスクランブル化を行う。これにより、端末局６０は、受信信号がセクタ間干渉の影響を受けていたとしても、受信した下りリンクサブフレームから容易に自局宛てのL1/L2制御情報およびユーザデータを抽出することができる。【００４９】
なお、上述の実施形態では、基地局１にスクランブルコード広報部１６を設け、また、端末局６０にスクランブルコード受信部６５を設けたが、端末局６０が単独で自端末局の在圏しているセクタ用のスクランブルコードを得るようにしてもよい。例えば、セクタ用のスクランブルコードとして複数のパターンを予め用意して端末局６０に保持しておく。
端末局６０は、複数のパターンを順次試行することで、複数のパターンの中から自端末局の在圏しているセクタ用のスクランブルコードを判定する。端末局６０は、その判定結果から、自端末局の在圏しているセクタ用のスクランブルコードを得る。これにより、端末局６０が単独で自端末局の在圏しているセクタ用のスクランブルコードを得ることができるので、基地局１にはスクランブルコード広報部１６を設けなくてよい。【００５０】
以上、本発明の実施形態を図面を参照して詳述してきたが、具体的な構成はこの実施形態に限られるものではなく、本発明の要旨を逸脱しない範囲の設計変更等も含まれる。
例えば、拡散符号として、回転直交符号を用いるようにしてもよい。２次の回転直交符号は、「（cosθ,sinθ）、（-sinθ,cosθ）」で表される。θは回転角である。これにより、位相回転を伴った符号分割多重を行うことができる。【００５１】
また、セルレベルのスクランブルコード（基地局固有のスクランブルコード（Node B common scrambling code））と、セクタレベルのスクランブルコード（各セクタ用のスクランブルコード）と、上記回転直交符号とをそれぞれ組み合わせるようにしてもよい。その場合の実施例としては、全ての組合せの仕方の６通りが考えられる。【００５２】
また、上述の実施形態では、マルチキャリア（多重搬送波）伝送方式の一つであるＯＦＤＭ方式に適用する場合を例に挙げたが、本発明は、ＯＦＤＭ方式以外のマルチキャリア伝送方式にも適用可能であり同様の効果が得られる。また、本発明は、シングルキャリア伝送方式にも適用可能であり同様の効果が得られる。
【産業上の利用可能性】
【００５３】
本発明は、一セル内を複数のセクタに分割して各セクタに下りリンクサブフレームを送信する無線通信システムに適用することができ、セクタ間干渉の影響を受けた信号から所望信号を抽出するときの抽出精度を向上させることができる。
【図１】
2008053932.tif 000003
【図２】
2008053932.tif 000004
【図３】
2008053932.tif 000005
【図４】
2008053932.tif 000006
【図５】
2008053932.tif 000007
【図６】
2008053932.tif 000008
【図７】
2008053932.tif 000009
【図８】
2008053932.tif 000010
【図９】
2008053932.tif 000011
【図１０】
2008053932.tif 000012
【国際調査報告】
2008053932.tif 000013
2008053932.tif 000014
2008053932.tif 000015
2008053932.tif 000016